(57)【要約】【課題】測量したい箇所に対して、確実に測量できる条件で測量計画を提示する。【解決手段】測量条件に関するパラメータを入力し記憶するパラメータ記憶手段と、測量箇所において所定の測位精度を得るために必要となる可視衛星数が確保できるか否かを三次元地図記憶手段と衛星軌道記憶手段とパラメータ記憶手段の情報から判定する測位可否判定手段と、測位可否を判定した結果を記憶する測位可否記憶手段と、測位可否記憶手段とパラメータ記憶手段の情報を用いて複数の測量箇所をＧＰＳ測量する測量計画を算出する測量計画算出手段と、算出された測量計画を記憶する測量計画記憶手段と、記憶された測量計画を出力する測量計画出力手段とを備え、複数の測量箇所に対するＧＰＳ測量計画を立案して出力する。【選択図】図１
2008151654.tif 000002
【特許請求の範囲】
【請求項１】
測量条件に関するパラメータを入力するパラメータ入力手段と、
前記パラメータ入力手段で入力されたパラメータ情報を記憶するパラメータ記憶手段と、
地物の位置と形状の情報を有する三次元地図記憶手段と、
ＧＰＳ衛星の軌道の情報を有する衛星軌道記憶手段と、
測量条件で指定された時刻に測量箇所において所定の測位精度を得るために必要となる可視衛星数が確保できるか否かを前記三次元地図記憶手段と前記衛星軌道記憶手段と前記パラメータ記憶手段の情報から判定する測位可否判定手段と、
前記測位可否判定手段で測位可否を判定した結果を記憶する測位可否記憶手段と、
前記測位可否記憶手段と前記パラメータ記憶手段の情報を用いて複数の測量箇所をＧＰＳ測量する測量計画を算出する測量計画算出手段と、
前記測量計画算出手段で算出された測量計画を記憶する測量計画記憶手段と、
前記測量計画記憶手段で記憶された測量計画を出力する測量計画出力手段とを備え、
複数の測量箇所に対するＧＰＳ測量計画を立案して出力するようにしたＧＰＳ測量計画支援装置。
【請求項２】
前記パラメータ入力手段において複数のアンテナ高を指定できるように構成し、前記測位可否判定手段と前記測量計画算出手段においてアンテナ高を可変パラメータとして、ＧＰＳ測量可能な範囲で最低のアンテナ高を用いる前記測量計画を算出するように構成し、複数の測量箇所に対するＧＰＳ測量計画を立案して出力するようにした請求項１記載のＧＰＳ測量計画支援装置。
【請求項３】
測量条件に関するパラメータを入力するパラメータ入力手段と、
前記パラメータ入力手段で入力されたパラメータ情報を記憶するパラメータ記憶手段と、
地物の位置と形状の情報を有する三次元地図記憶手段と、
ＧＰＳ衛星の軌道の情報を有する衛星軌道記憶手段と、
現在時刻又は測量条件で指定された時刻に測量箇所の近傍において所定の測位精度を得るために必要となる可視衛星数が確保できる領域を前記三次元地図記憶手段と前記衛星軌道記憶手段と前記パラメータ記憶手段の情報から判定するＧＰＳ測位可能領域算出手段と、
前記ＧＰＳ測位可能領域算出手段で判定されたＧＰＳ測位可能領域を地図上に表示するＧＰＳ測位可能領域表示手段とを備え、
近傍のＧＰＳ測位可能領域を表示するようにしたＧＰＳ測量支援装置。
【請求項４】
前記三次元地図記憶手段と前記パラメータ記憶手段の情報より、測量箇所から直接見通すことができる領域を算出するＴＳ測量可能領域算出手段と、
前記ＧＰＳ測位可能領域算出手段で判定されたＧＰＳ測位可能領域と前記ＴＳ測量可能領域算出手段で算出されたＴＳ測量可能領域の重なる領域を算出するハイブリッド測量可能領域算出手段と、
前記ハイブリッド測量可能領域算出手段で算出されたハイブリッド測量可能領域を表示するハイブリッド測量可能領域表示手段とを備え、
近傍のハイブリッド測量可能領域を表示するようにした請求項３記載のＧＰＳ測量支援装置。
【請求項５】
測量条件に関するパラメータを入力するパラメータ入力手段と、
前記パラメータ入力手段で入力されたパラメータ情報を記憶するパラメータ記憶手段と、
地物の位置と形状の情報を有する三次元地図記憶手段と、
ＧＰＳ衛星の軌道の情報を有する衛星軌道記憶手段と、
現在時刻又は測量条件で指定された時刻に測量箇所において所定の測位精度を得るために必要となる可視衛星数が確保できるアンテナ高を前記三次元地図記憶手段と前記衛星軌道記憶手段と前記パラメータ記憶手段の情報から判定する測位可能アンテナ高算出手段と、
前記測位可能アンテナ高算出手段で判定された測位可能アンテナ高を表示する測位可能アンテナ高表示手段とを備え、
測位可能なアンテナ高を表示するようにしたＧＰＳ測量支援装置。
【請求項６】
測量条件に関するパラメータを入力するパラメータ入力手段と、
前記パラメータ入力手段で入力されたパラメータ情報を記憶するパラメータ記憶手段と、
地物の位置と形状の情報を有する三次元地図記憶手段と、
ＧＰＳ衛星の軌道の情報を有する衛星軌道記憶手段と、
測量箇所において所定の測位精度を得るために必要となる可視衛星数が確保できる直近の時刻を前記三次元地図記憶手段と前記衛星軌道記憶手段と前記パラメータ記憶手段の情報から判定する測位可能時刻算出手段と、
前記測位可能時刻算出手段で判定された測位可能時刻を表示する測位可能時刻表示手段とを備え、
測位可能な直近の時刻を表示するようにしたＧＰＳ測量支援装置。
【発明の詳細な説明】
【技術分野】
【０００１】
この発明は、ＧＰＳ（Global Positioning System）測量を実施する前に測量計画の立案を行い、効率的なＧＰＳ測量を支援するＧＰＳ測量計画支援装置、及び、ＧＰＳ測量実施を支援するＧＰＳ測量支援装置に関するものである。
【背景技術】
【０００２】
従来のＧＰＳシミュレーションシナリオを生成する装置においては、例えば特許文献１のように、時間と場所（ルート）を指定することにより、ＧＰＳ測位による位置情報の品質を求めている。
【０００３】
【特許文献１】特開２００４−１６３４２４号公報（第６図）
【発明の開示】
【発明が解決しようとする課題】
【０００４】
従来のＧＰＳシミュレーションシナリオを生成する装置においては、指定した時間に指定したルートに沿った車両走行実験をシミュレーションする装置であり、周囲の建物やＧＰＳ衛星配置によって指定した時間にＧＰＳ測位できない場所が存在する場合は、測位できないことを示すのみで、その場所がどのような条件（時間、アンテナ高）であれば測位できるようになるかは分からないという問題点がある。ＧＰＳ測量の計画においては、測量したい箇所を必ず測位しなければならないため、その箇所がどのような条件（時間、アンテナ高）であれば測位できるようになるかが分からなければ、効率的な測量計画を立てることができない。
【０００５】
この発明は、前記のような問題点を解消するためになされたもので、測量したい箇所に対して、確実に測量できる条件で測量計画を提示することを目的とする。
【課題を解決するための手段】
【０００６】
この発明に係わるＧＰＳ測量計画支援装置は、測量条件に関するパラメータを入力するパラメータ入力手段と、前記パラメータ入力手段で入力されたパラメータ情報を記憶するパラメータ記憶手段と、地物の位置と形状の情報を有する三次元地図記憶手段と、
ＧＰＳ衛星の軌道の情報を有する衛星軌道記憶手段と、測量条件で指定された時刻に測量箇所において所定の測位精度を得るために必要となる可視衛星数が確保できるか否かを前記三次元地図記憶手段と前記衛星軌道記憶手段と前記パラメータ記憶手段の情報から判定する測位可否判定手段と、前記測位可否判定手段で測位可否を判定した結果を記憶する測位可否記憶手段と、前記測位可否記憶手段と前記パラメータ記憶手段の情報を用いて複数の測量箇所をＧＰＳ測量する測量計画を算出する測量計画算出手段と、前記測量計画算出手段で算出された測量計画を記憶する測量計画記憶手段と、前記測量計画記憶手段で記憶された測量計画を出力する測量計画出力手段とを備え、複数の測量箇所に対するＧＰＳ測量計画を立案して出力するようにしたものである。
【０００７】
また、この発明に係わるＧＰＳ測量支援装置は、測量条件に関するパラメータを入力するパラメータ入力手段と、前記パラメータ入力手段で入力されたパラメータ情報を記憶するパラメータ記憶手段と、地物の位置と形状の情報を有する三次元地図記憶手段と、
ＧＰＳ衛星の軌道の情報を有する衛星軌道記憶手段と、現在時刻又は測量条件で指定された時刻に測量箇所の近傍において所定の測位精度を得るために必要となる可視衛星数が確保できる領域を前記三次元地図記憶手段と前記衛星軌道記憶手段と前記パラメータ記憶手段の情報から判定するＧＰＳ測位可能領域算出手段と、前記ＧＰＳ測位可能領域算出手段で判定されたＧＰＳ測位可能領域を地図上に表示するＧＰＳ測位可能領域表示手段とを備え、近傍のＧＰＳ測位可能領域を表示するようにしたものである。
【発明の効果】
【０００８】
この発明のＧＰＳ測量計画支援装置によれば、測位可否記憶手段とパラメータ記憶手段の情報を用いて複数の測量箇所をＧＰＳ測量する測量計画を算出する測量計画算出手段を備えたので、測量計画を出力することにより、ユーザーは測量を行う計画を得ることができ、効率的な測量の実施が可能となり、作業時間を短縮することができる。
【０００９】
また、この発明のＧＰＳ測量支援装置によれば、測量箇所近傍のＧＰＳ測位可能領域を表示することにより、近傍のＧＰＳ測位可能領域に位置参照点を作ってＧＰＳ測量を行い、位置参照点と測量箇所の位置関係を別の手段で測定することにより、間接的に測量箇所の位置を求めることができる。
【発明を実施するための最良の形態】
【００１０】
実施の形態１．
以下、この発明の実施の形態を図に基づいて説明する。図１はこの発明の実施の形態１によるＧＰＳ測量計画支援装置を示す構成図である。ＧＰＳ測量計画支援装置１１は、ユーザーが複数の測量箇所，測量期間（時間，時刻），移動手段，アンテナ高，必要可視衛星数等の測量条件となるパラメータを入力するパラメータ入力手段１２と、ユーザーが入力したパラメータ情報を記憶するパラメータ記憶手段１３と、地物の位置や形状の情報を有する三次元地図記憶手段１４と、ＧＰＳ衛星の軌道の情報を有する衛星軌道記憶手段１５と、測量箇所において所定の測位精度を得るために必要となる可視衛星数が確保できるか否かを三次元地図記憶手段１４と衛星軌道記憶手段１５とパラメータ記憶手段１３の情報から判定する測位可否判定手段１６と、測位可否を判定した結果を記憶する測位可否記憶手段１７と、複数の測量箇所を最短の時間でＧＰＳ測量するための測量開始時刻，測量順序等の測量計画を算出する測量計画算出手段１８と、測量計画を記憶する測量計画記憶手段１９と、測量計画を出力する測量計画出力手段２０により構成される。
【００１１】
パラメータ入力手段１２は、例えばキーボードやマウス，タッチパネルなどの入力デバイスと液晶ディスプレイなどの表示デバイスにより実現される。パラメータ入力手段１２は、表示された２次元地図上の点を指定することによりパラメータ「測量箇所」を入力したり、表示されたカレンダー上で日にちを指定することによりパラメータ「測量期間」又は、その日の特定時間，時刻を入力する等のユーザーインタフェースを有する。パラメータ記憶手段１３、三次元地図記憶手段１４、衛星軌道記憶手段１５、測位可否記憶手段１７、測量計画記憶手段１９は、例えばメモリやハードディスクなどの記憶デバイスにより実現される。測位可否判定手段１６、測量計画算出手段１８は、例えばアプリケーションプログラムを実行するコンピュータなどにより実現される。測量計画出力手段２０は、例えば液晶ディスプレイなどの表示デバイスや、プリンタなどの印字デバイスにより実現される。
【００１２】
次に実施の形態１における動作について説明する。パラメータ入力手段１２は、ユーザーのパラメータ入力を受け付け、入力内容をパラメータ記憶手段１３に記憶する。パラメータ記憶手段１３に記憶されるパラメータは、複数の測量箇所の座標値（精密ではない、測量前の大まかな座標値）である「測量箇所」、測量の開始日と終了日又は指定日の開始時間と終了時間を示す「測量期間」、車や徒歩などを指定する「移動手段」、測量箇所にてＧＰＳアンテナを固定するポールや三脚の高さを示す「アンテナ高」、実施するＧＰＳ測量方式において測位に必要な可視衛星数を指定する「必要可視衛星数」などがある。「必要可視衛星数」は、単独測位では４つだが、ＦＫＰ方式（面補正パターン方式）では５つになるなど、測位方式によって異なる。
【００１３】
次に測位可否判定手段１６は、パラメータ記憶手段１３、三次元地図記憶手段１４、衛星軌道記憶手段１５の情報から、測量期間中の各時間帯に対する各測量箇所の測位可否を算出して測位可否記憶手段１７に記憶する。ここで、測位可否判定手段１６の計算内容について説明する。三次元空間モデルにおいて、図２に示すように、パラメータ記憶手段１３の測量箇所、アンテナ高の情報からＧＰＳアンテナ２１の座標を定め、三次元地図記憶手段１４の情報から測量箇所周辺の構造物や地形の情報２２、２３を読み出し、衛星軌道記憶手段１５の情報から任意の時刻におけるＧＰＳ衛星２４、２５の位置を読み出し、ＧＰＳ衛星からＧＰＳアンテナを直線で結んだときに直線上に遮蔽物があるか計算することにより、ＧＰＳアンテナ２１からそのＧＰＳ衛星の電波が受信できるか否かを判定する。
【００１４】
図２では、ＧＰＳアンテナ２１からＧＰＳ衛星２５の電波は受信できるが、ＧＰＳ衛星２４の電波は構造物２２に邪魔をされて受信することができない。全てのＧＰＳ衛星について電波の受信可否を判定し、受信可能なＧＰＳ衛星数がパラメータ記憶手段１３の「必要可視衛星数」以上である場合は、その時刻、その測量箇所においてＧＰＳ測位可能と判定する。測量期間中の日時で１５分または３０分程度の時間間隔ごとに判定を行い、結果を測位可否記憶手段１７に記憶する。
【００１５】
図３に測位可否情報の出力例を示す。５つの測量箇所Ａ〜Ｅにおいて、２００６年９月２５日の９時〜１７時の測位可否を判定した結果である。次に測量計画算出手段１８は、パラメータ記憶手段１３、測位可否記憶手段１７の情報から、最適な測量計画を算出して、結果を測量計画記憶手段１９に記憶する。ここで、測量計画算出手段１８の計算内容について説明する。パラメータ記憶手段１３の「測量箇所」の座標、「移動手段」の情報から測量箇所の間を移動するときのおおよその移動に要する時間が求められる。測量箇所を回る順番を決定すると、測量計画記憶手段１９から最初の測量箇所の測量を開始できる時刻が分かり、一定の測量時間経過後に次の測量箇所へ移動して、最短で測量を開始できる時刻が分かるので、これを繰り返すと全ての測量箇所を回るのに要する時間を求めることができる。
【００１６】
全ての順番のパターンについて総所要時間を求めることにより、最も総所要時間が短い測量順序が求められる。この総所要時間が最も短いときの測量計画を、最適な測量計画として測量計画記憶手段１９に記憶する。図４に測量計画の例を示す。各点での測量と、点間の移動の日時を表している。次に測量計画出力手段２０は、測量計画記憶手段１９に格納されている情報をディスプレイやプリンタなどに出力する。このように、最適な測量計画を出力することにより、ユーザーは最短時間で測量を行う計画を得ることができ、効率的な測量の実施が可能となり、作業時間を短縮することができる。
【００１７】
ところで、全ての順番のパターンについて総所要時間を求めることにより、最も総所要時間が短い測量開始時刻と測量順序とを求めるようにすると、コンピュータの演算に負担がかかる場合がある。そのため、入力する測量条件として、測量期間を１日の８時間よりさらに限定して、６時間、４時間に限定したり、第１測量箇所を事前に設定したりして、コンピュータの演算の負担を減少させるようにしてもよい。また、最も総所要時間が短い場合でなくとも、設定時間内に所定の測量箇所のすべてを測量完了できるものを算出するようにしてもよい。このように、測量条件が入力され記憶されたパラメータ記憶手段と測位可否記憶手段との情報から複数の測量箇所を測量条件に適合してＧＰＳ測量するための測量開始時刻と測量順序の測量計画を算出するようにしてもよい。
【００１８】
実施の形態２．
実施の形態２によるＧＰＳ測量計画支援装置は、ＧＰＳアンテナを固定するポールや三脚において、延長器具などを使用してアンテナ高を高くできる場合に、アンテナ高を高くすることにより測量に要する時間を短縮できる計画を提示するように、システムを構成したものである。以下、実施の形態２を図５に基づいて説明する。なお、実施の形態１と同じ構成物に関しては詳細な説明を省略する。各図において、同一符号は同一または相当部分を示す。以下同様である。図５は実施の形態２によるＧＰＳ測量計画支援装置を示す構成図である。この構成においては、パラメータ記憶手段１３に記憶されるパラメータのうち、「アンテナ高」は複数のパターンを入力して記憶できるものとする。例えば、２メートルのポールと、１メートルの延長器具２つとを所有している場合は、アンテナ高として２メートル，３メートル，４メートルの３パターンを記憶する。
【００１９】
次に測位可否判定手段１６においては、アンテナ高の全パターンについて測位可否判定を行なう。一般的にアンテナ高を高くすれば構造物等により電波が遮断されにくくなり、ＧＰＳ測位できる可能性が高くなる。図６の例では、アンテナ高２メートルの場合のＧＰＳアンテナ２１ではＧＰＳ衛星２４の電波が受信できないが、アンテナ高４メートルの場合のＧＰＳアンテナ６１ではＧＰＳ衛星２４の電波が受信できる。しかし、一方でアンテナ高を高くするとＧＰＳアンテナやポール等の機材の取り扱いが大変になるという問題点もあり、可能な限りは短いアンテナ高で測量できることが望ましい。
【００２０】
次に測量計画算出手段１８は、全てのアンテナ高パターン、全ての測量順序のパターンについて所要時間を求めることにより、所要時間が最も短い測量順序が求められる。所要時間が最も短い測量順序の計画が複数あり、かつそれらの計画のアンテナ高が異なる場合、アンテナ高が最も低い測量計画を、最適な測量計画として測量計画記憶手段１９に記憶する。このように、アンテナの延長を考慮して最適な測量計画を出力することにより、実施の形態１の場合と比較してさらに短い時間で、かつ可能な限り短いアンテナ高で測量を行う計画を得られる可能性がある。
【００２１】
実施の形態３．
実施の形態３によるＧＰＳ測量支援装置は、事前に計画を立てずに測量を行ったときなどに、ある測量箇所に対してＧＰＳ測量できない場合、代替手段としてその近傍でＧＰＳ測位できる領域を表示するように、システムを構成したものである。実施の形態３を図７に基づいて説明する。なお、実施の形態１のＧＰＳ測量計画支援装置１１と同じ構成物に関しては詳細な説明を省略する。図７は実施の形態３によるＧＰＳ測量支援装置を示す構成図である。
【００２２】
ＧＰＳ測量支援装置７１は、ユーザーが測量箇所，特定日の測定時刻、アンテナ高，必要可視衛星数等の測量条件となるパラメータを入力するパラメータ入力手段１２と、ユーザーが入力したパラメータ情報を記憶するパラメータ記憶手段１３と、地物の位置や形状の情報を有する三次元地図記憶手段１４と、ＧＰＳ衛星の軌道の情報を有する衛星軌道記憶手段１５と、測量箇所の近傍において所定の測位精度を得るために必要となる可視衛星数が確保できる領域を三次元地図記憶手段１４と衛星軌道記憶手段１５とパラメータ記憶手段１３の情報から判定するＧＰＳ測位可能領域算出手段７２と、ＧＰＳ測位可能領域を地図上に表示するＧＰＳ測位可能領域表示手段７３により構成される。ＧＰＳ測位可能領域算出手段７２は、例えばアプリケーションプログラムを実行するコンピュータなどにより実現される。ＧＰＳ測位可能領域表示手段７３は、例えば液晶ディスプレイなどの表示デバイスにより実現される。
【００２３】
次に動作について説明する。パラメータ入力手段１２については、パラメータ数が減ったのみで動作は実施の形態１と同様である。ＧＰＳ測位可能領域算出手段７２は、パラメータ記憶手段１３、三次元地図記憶手段１４、衛星軌道記憶手段１５の情報から、測量箇所近傍のＧＰＳ測位可能領域を算出して、結果をＧＰＳ測位可能領域表示手段７３によりディスプレイ等に表示する。ここで、ＧＰＳ測位可能領域算出手段７２の計算内容について説明する。三次元空間モデルにおいて、図８に示すように、三次元地図記憶手段１４の情報から測量箇所周辺の構造物や地形の情報２２、２３を読み出し、三次元地図記憶手段１４の「地面の高さ」にパラメータ記憶手段１３の「アンテナ高」を加えてアンテナ高面８１を算出し、衛星軌道記憶手段１５の情報から現在時刻又は指定時刻におけるＧＰＳ衛星２４の位置を読み出し、ＧＰＳ衛星から構造物上辺の外周を直線で結んだ延長線とアンテナ高面８１の交線から、ＧＰＳ衛星の電波が受信できる領域８２を算出できる。
【００２４】
全てのＧＰＳ衛星について電波が受信できる領域を算出し、パラメータ記憶手段１３の「必要可視衛星数」以上のＧＰＳ衛星の電波受信可能領域が重複している領域を求めると、現在時刻又は指定時刻に、その測量箇所においてＧＰＳ測位可能な領域であるＧＰＳ測位可能領域が求められる。図９にＧＰＳ測位可能領域表示例を示す。図９では、地図９１上に測量箇所９２と近傍のＧＰＳ測位可能領域９３を表示している。このように、測量箇所近傍のＧＰＳ測位可能領域を表示することにより、事前に計画を立てずに測量を行ったときなどに、ある測量箇所に対して直接ＧＰＳ測量できない場合、近傍のＧＰＳ測位可能領域に位置参照点を作ってＧＰＳ測量を行い、位置参照点と測量箇所の位置関係を別の手段で測定することにより、間接的に測量箇所の位置を求めることができるようになる。
【００２５】
実施の形態４．
実施の形態４によるＧＰＳ測量支援装置は、事前に計画を立てずに測量を行ったときなどに、ある測量箇所に対してＧＰＳ測量ができない場合、代替手段としてＧＰＳとＴＳ（Total Station）のハイブリッド測量可能領域を表示するように、システムを構成したものである。実施の形態４を図１０に基づいて説明する。なお、実施の形態３と同じ構成物に関しては詳細な説明を省略する。図１０は実施の形態４によるＧＰＳ測量支援装置を示す構成図である。この構成においては、ＧＰＳ測位可能領域算出手段７２の他にＴＳ測量可能領域算出手段１０２とハイブリッド測量可能領域算出手段１０３を有し、ハイブリッド測量可能領域を算出してハイブリッド測量可能領域表示手段１０４にて表示する。
【００２６】
ＴＳ測量可能領域算出手段（見通し測量可能領域算出手段）１０２は、パラメータ記憶手段１３と三次元地図記憶手段１４の情報より、測量箇所から直接見通すことができる領域を算出する。ここで、ＴＳ測量可能領域算出手段１０２の計算内容について説明する。三次元空間モデルにおいて、図１１に示すように、三次元地図記憶手段１４の情報から測量箇所周辺の構造物や地形の情報１１３〜１１６を読み出し、パラメータ記憶手段１３の測量箇所１１２と周辺の構造物の角を結ぶ直線を引くことにより、測量箇所から直接見通せる領域１１７（図中で影の無い領域）、すなわち測量箇所に対してＴＳ測量可能な領域であるＴＳ測量可能領域１１７を算出することができる。
【００２７】
次にハイブリッド測量可能領域算出手段１０３において、ＴＳ測量可能領域とＧＰＳ測位可能領域が重なるハイブリッド測量可能領域を算出し、図９のＧＰＳ測位可能領域表示例と同様に、ハイブリッド測量可能領域表示手段１０４にて表示する。このように、測量箇所近傍のハイブリッド測量可能領域を表示することにより、事前に計画を立てずに測量を行ったときなどに、ある測量箇所に対して直接ＧＰＳ測量できない場合、近傍のハイブリッド測量可能領域に位置参照点を作ってＧＰＳ測量を行い、位置参照点から測量箇所の距離と角度をＴＳにて測定することにより、測量箇所の位置を間接的に求めることができるようになる。
【００２８】
実施の形態５．
実施の形態５によるＧＰＳ測量支援装置は、事前に計画を立てずに測量を行ったときなどに、ある測量箇所に対してＧＰＳ測量できない場合、ＧＰＳ測量可能となるアンテナ高を表示するように、システムを構成したものである。実施の形態５を図１２に基づいて説明する。なお、実施の形態３と同じ構成物に関しては詳細な説明を省略する。図１２は実施の形態５によるＧＰＳ測量支援装置を示す構成図である。この構成においては、ＧＰＳ測位可能領域算出手段７２の代わりに測位可能アンテナ高算出手段１２１を有し、測位可能アンテナ高を算出し、測位可能アンテナ高表示手段１２２にて表示する。
【００２９】
測位可能アンテナ高算出手段１２１は、パラメータ記憶手段１３の測量箇所の地点において、パラメータ記憶手段１３の「アンテナ高」をパラメータとしてアンテナ測位可否判定手段１６と同様に測位可否を判定して、測位不可である場合は、測位可能の結果が出るまでアンテナ高を例えば０．５メートル間隔で上げていって繰り返し計算を行い、測位可能となるアンテナ高を、測位可能アンテナ高表示手段１２２にて、ディスプレイ等に表示する。このように、測位可能となるアンテナ高を表示することにより、事前に計画を立てずに測量を行ったときなどに、ある測量箇所に対してＧＰＳ測量できない場合、アンテナ高を何メートルまで高くすればＧＰＳ測量ができるのか分かるので、そのアンテナ高を実現する延長器具を持っていれば、ＧＰＳ測量を行うことができ、延長器具の使用により測量を行えるのかを容易に判断することができるようになる。
【００３０】
実施の形態６．
実施の形態６によるＧＰＳ測量支援装置は、事前に計画を立てずに測量を行ったときなどに、ある測量箇所に対してＧＰＳ測量できない場合、ＧＰＳ測量可能となる直近の時刻を表示するように、システムを構成したものである。実施の形態６を図１３に基づいて説明する。なお、実施の形態５と同じ構成物に関しては詳細な説明を省略する。図１３は実施の形態６によるＧＰＳ測量支援装置を示す構成図である。この構成においては、測位可能アンテナ高算出手段１２１の代わりに測位可能時刻算出手段１３１を有し、直近の測位可能時刻を算出し、測位可能時刻表示手段１３２にて表示する。
【００３１】
測位可能時刻算出手段１３１は、パラメータ記憶手段１３の測量箇所の地点において、パラメータ記憶手段１３の「アンテナ高」をパラメータとしてアンテナ測位可否判定手段１６と同様に測位可否を判定して、測位不可である場合は、測位可能の結果が出るまで時刻を例えば１５分間隔で進めていって繰り返し計算を行い、測位可能となる時刻を、測位可能時刻表示手段１３２にて、ディスプレイ等に表示する。このように、測位可能となる直近の時刻を表示することにより、事前に計画を立てずに測量を行ったときなどに、ある測量箇所に対してＧＰＳ測量できない場合、いつまで待てばＧＰＳ測量ができるのか分かるので、その時刻まで作業を中断することが可能であればＧＰＳ測量を行うことができ、作業の見通しが立てられるようになる。
【図面の簡単な説明】
【００３２】
【図１】この発明の実施の形態１によるＧＰＳ測量計画支援装置を示す構成図である。
【図２】実施の形態１による測位可否判定を説明する模式図である。
【図３】実施の形態１による測位可否の出力例を示す図である。
【図４】実施の形態１によるＧＰＳ測量計画の出力例を示す図である。
【図５】実施の形態２によるＧＰＳ測量計画支援装置を示す構成図である。
【図６】実施の形態２によるアンテナ高を高くすることによりＧＰＳ測位できる可能性が高くなることを示す図である。
【図７】実施の形態３によるＧＰＳ測量支援装置を示す構成図である。
【図８】実施の形態３によるＧＰＳ測位可能領域算出を説明する模式図である。
【図９】実施の形態３によるＧＰＳ測位可能領域の出力例を示す図である。
【図１０】実施の形態４によるＧＰＳ測量支援装置を示す構成図である。
【図１１】実施の形態４によるＴＳ測量可能領域算出を説明する模式図である。
【図１２】実施の形態５によるＧＰＳ測量支援装置を示す構成図である。
【図１３】実施の形態６によるＧＰＳ測量支援装置を示す構成図である。
【符号の説明】
【００３３】
１１  ＧＰＳ測量計画支援装置            １２  パラメータ入力手段
１３  パラメータ記憶手段                １４  三次元地図記憶手段
１５  衛星軌道記憶手段                  １６  測位可否判定手段
１７  測位可否記憶手段                  １８  測量計画算出手段
１９  測量計画記憶手段                  ２０  測量計画出力手段
２１  ＧＰＳアンテナ                    ２４  ＧＰＳ衛星
２５  ＧＰＳ衛星                        ６１  ＧＰＳアンテナ
７１  ＧＰＳ測量支援装置                ７２  ＧＰＳ測位可能領域算出手段
【００３４】
７３  ＧＰＳ測位可能領域表示手段        ８１  アンテナ高面
８２  領域                              ９１  地図
９２  測量箇所                          ９３  ＧＰＳ測位可能領域
１０２  ＴＳ測量可能領域算出手段        １０３  ハイブリッド測量可能領域算出手段
１０４  ハイブリッド測量可能領域表示手段
１１２  測量箇所                        １１７  領域
１２１  測位可能アンテナ高算出手段      １２２  測位可能アンテナ高表示手段
１３１  測位可能時刻算出手段            １３２  測位可能時刻表示手段
【図１】
2008151654.tif 000003
【図２】
2008151654.tif 000004
【図５】
2008151654.tif 000005
【図６】
2008151654.tif 000006
【図７】
2008151654.tif 000007
【図８】
2008151654.tif 000008
【図９】
2008151654.tif 000009
【図１０】
2008151654.tif 000010
【図１１】
2008151654.tif 000011
【図１２】
2008151654.tif 000012
【図１３】
2008151654.tif 000013
【図３】
2008151654.tif 000014
【図４】
2008151654.tif 000015